(57)【要約】    【課題】本考案は、使用感が良好で、使い易く、デザイン性に富み、両用可能な小型両用化粧用具を提供することにある。    【解決手段】本考案に係る小型両用化粧用具１０は、細軸よりなる把持部１１の一端に研磨加工されたゴム系材料製化粧用チップ１２を接着し、他端に化粧補助用具１３を接着してなるものである。    【選択図】図１
0003118751.tif 000002
【実用新案登録請求の範囲】
【請求項１】
細軸よりなる把持部の一端に研磨加工されたゴム系材料製化粧用チップを接着し、他端に化粧補助用具を接着してなることを特徴とする小型両用化粧用具。
【請求項２】
化粧用チップが、円錐形であって尖部を外方に向けて接着されていることを特徴とする請求項１に記載の小型両用化粧用具。
【請求項３】
化粧用チップが、円柱形であることを特徴とする請求項１に記載の小型両用化粧用具。
【請求項４】
化粧用チップを構成するゴム系材料が、合成ゴムより形成されてなることを特徴とする請求項１〜３のいずれか１項に記載の小型両用化粧用具。
【請求項５】
合成ゴムが、アクリロニトリル−ブタジエンゴムであることを
特徴とする請求項４に記載の小型両用化粧用具。
【請求項６】
化粧用チップを構成するゴム系材料が、エラストマーより形成されてなることを特徴とする請求項１〜３のいずれか１項に記載の小型両用化粧用具。
【請求項７】
エラストマーが、エチレンプロピルジエン三次元共重合体であることを特徴とする請求項６に記載の小型両用化粧用具。
【請求項８】
化粧用チップが、湿式ポリウレタンゴムより形成されてなることを特徴とする請求項１〜３のいずれか１項に記載の小型両用化粧用具。
【考案の詳細な説明】
【技術分野】
【０００１】
本考案は、化粧用コンパクト容器などに内蔵可能な小型の化粧用具であって、細軸の両端に化粧用チップやブラシなどを接着してその両端双方が使用可能な両用の化粧用具に関し、特に使用感が良好であり、化粧が行い易い小型両用化粧用具に関する。なお、本明細書においては、天然ゴム、合成ゴム及びエラストマーを含む上位概念として「ゴム系材料」という用語を使用する。
【背景技術】
【０００２】
従来のこの種の化粧用具としては、薄くスライスした２枚のウレタンスポンジを熱圧着した塗布具として合成樹脂製の軸の一端に接着剤で固定したものが使用されている。
【考案の開示】
【考案が解決しようとする課題】
【０００３】
しかしながら、上記従来の熱圧着タイプのものでは、熱圧着面が硬くなり、使用者が不快感をを示すといった欠点があった。また、一般的な形状として、薄くスライスした２枚のウレタンスポンジを熱圧着したものをナイロン等の軸に接着剤で貼り付けたチップは、使用時の力配分に一定の技術が必要であった。さらに、デザイン性も制約されるといった欠点があった。
【０００４】
そこで、本考案者は、特に研磨された合成ゴムとその他の化粧用具を金属あるいは樹脂成型品で組み合わせた化粧用具において、従来のチップと比較して化粧時にやや高度な化粧技術を必要とせず、より細やかな化粧効果が期待でき、使用者に不快感を与えず、かつ金属や樹脂の軸部分の長さを調整することで携帯性をもたせ、しかも、今までにないデザイン性をもたせることができる化粧用具を開発した。
【課題を解決するための手段】
【０００５】
本考案に係る小型両用化粧用具は、細軸よりなる把持部の一端に研磨加工されたゴム系材料製化粧用チップを接着し、他端に化粧補助用具を接着してなることを特徴とするものである。
【０００６】
また、上記本考案に係る小型両用化粧用具における化粧用チップの形状は、円錐形であって尖部を外方に向けて接着されているものや、円柱形のものが最適である。
【０００７】
さらに、上記本考案に係る小型両用化粧用具における化粧用チップを構成するゴム系材料が、アクリロニトリル−ブタジエンゴム等の合成ゴム、エチレンプロピルジエン三次元共重合体等のエラストマー、あるいは湿式ウレタンゴムが最適である。
【考案の効果】
【０００８】
本考案に係る小型両用化粧用具は、上記した構成よりなるものであるから、使用感が良好で、使い易く、デザイン性に富み、両用可能で便利な商品価値の高いものである。
【考案を実施するための最良の形態】
【０００９】
以下に、本考案の好適な実施例を添付の図面に基づいて詳細に説明する。
【実施例１】
【００１０】
図１は本実施例に係る小型両用化粧用具の斜視図であり、図２はその断面図である。
【００１１】
図１において、１０は小型両用化粧用具を示し、該小型両用化粧用具１０は、金属製の細軸よりなる把持部１１の一端に研磨加工されたゴム系材料製化粧用チップ１２を接着し、他端には化粧補助用具としてスクリュー状のブラシ型塗布具１３を接着したものである。
【００１２】
上記把持部１１は、ゴム系材料製化粧用チップ１２を接着する端部側は、図２に示すように、ゴム系材料製化粧用チップ１２の基部１２ａを嵌め込むことができるように空洞の嵌め込み穴１１ａが形成されており、嵌め込み穴１１ａに接着剤を塗布してゴム系材料製化粧用チップ１２の基部１２ａを挿入すれば把持部１１の一端にゴム系材料製化粧用チップ１２が接着されるようになっている。この把持部１１を構成する細軸の材質としては、金属に限られるものではなく、合成樹脂を射出成形等により成型したものや、金属と合成樹脂とを組み合わせた材質のものを使用してもよい。また、使用する金属がアルミニウムや真鍮の場合には、加工がし易く腐蝕しにくいので好適である。また、この細軸は、あらかじめ絞り加工を行った上で加飾を施すと雅趣に富んだ製品ができる。
【００１３】
また、上記ゴム系材料製化粧用チップ１２は、円錐形であって尖部を外方に向けて接着されており、その材質は、研磨された合成ゴムが使用されている。この研磨された合成ゴムよりなるゴム系材料製化粧用チップ１２は、一定寸法のチューブ状合成ゴムを研磨して製造される。なお、該ゴム系材料製化粧用チップ１２は、本実施例に示されるような円錐形状のものに限られるものではなく、円柱形のものを使用してもよい。また、ゴム系材料製化粧用チップに使用されるゴム系材料としては、アクリロニトリル−ブタジエンゴム等の合成ゴム、エチレンプロピルジエン三次元共重合体等のエラストマー、あるいは湿式ウレタンゴムが最適である。
【００１４】
上記スクリュー状ブラシ型塗布具１３は、マスカラ用の塗布具であって、芯軸１３ａにブラシ１３ｂが螺旋状に巻回された形状をなしており、該スクリュー状ブラシ型塗布具１３は、その芯軸１３ａを、把持部１１における、前記ゴム系材料製化粧用チップ１２を接着した側と反対側の端部に突き刺すようにして接着されている。
【００１５】
なお、把持部１３においてゴム系材料製化粧用チップ１２と反対側に接着される化粧補助用具は、本実施例に示すスクリュー状ブラシ型塗布具に限られるものではなく、それぞれ化粧補助用具の変更例である図３に示すチークブラシ２３、図４に示すアイブローブラシ３３、図５に示すリップブラシ４３、図６に示すコンシーラブラシ５３などのブラシ型塗布具、図７に示すマスカラコーム６３のような櫛型塗布具、図８に示すアヒルの毛などの獣毛を綿毛状に形成したフィニッシングブラシ７３のような起毛状塗布具、あるいは、図９に示す化粧用チップ８３のようなスポンジ状塗布具が採用できる。なお、化粧補助用具の材質は特に限られるものではなく、合成樹脂、金属、木、合成繊維、植物繊維、動物繊維などあらゆるものが適宜使用可能である。また、これらの化粧補助用具の把持部１１に対する取り付けは、本実施例におけるような刺し込み接着には限らず、把持部１１の端部を空洞の開口部とし、そこにブラシ類などの化粧補助用具を嵌め込むようにして接着してもよく、必要に応じて、ブラシ類などの化粧補助用具を嵌め込んだあと、把持部１１の端部を押圧して扁平な形状にしてもよい。
【００１６】
以上のように本実施例における小型両用化粧用具１０を構成したことにより、従来のこの種の化粧用具における欠点が解消でき、使用感が良好で、使い易く、デザイン性に富み、両用可能で便利な化粧用具が得られる。
【図面の簡単な説明】
【００１７】
【図１】本考案の実施例に係る小型両用化粧用具の斜視図である。
【図２】本考案の実施例に係る小型両用化粧用具の断面図である。
【図３】本考案に係る小型両用化粧用具の変更例を示す平面図である。
【図４】本考案に係る小型両用化粧用具の変更例を示す平面図である。
【図５】本考案に係る小型両用化粧用具の変更例を示す平面図である。
【図６】本考案に係る小型両用化粧用具の変更例を示す平面図である。
【図７】本考案に係る小型両用化粧用具の変更例を示す平面図である。
【図８】本考案に係る小型両用化粧用具の変更例を示す平面図である。
【図９】本考案に係る小型両用化粧用具の変更例を示す平面図である。
【符号の説明】
【００１８】
１０・・・小型両用化粧用具
１１・・・把持部
１１ａ・・把持部の嵌め込み穴
１２・・・ゴム系材料製化粧用チップ
１２ａ・・ゴム系材料製化粧用チップの基部
１３・・・スクリュー状のブラシ型塗布具
１３ａ・・スクリュー状のブラシ型塗布具の芯軸
２３・・・チークブラシ
３３・・・アイブローブラシ
４３・・・リップブラシ
５３・・・コンシーラブラシ
６３・・・マスカラコーム
７３・・・フィニッシングブラシ
８３・・・化粧用チップ
【図１】
0003118751.tif 000003
【図２】
0003118751.tif 000004
【図３】
0003118751.tif 000005
【図４】
0003118751.tif 000006
【図５】
0003118751.tif 000007
【図６】
0003118751.tif 000008
【図７】
0003118751.tif 000009
【図８】
0003118751.tif 000010
【図９】
0003118751.tif 000011